(57)【要約】【解決手段】  本発明は、ブリスターパックを受け入れるための開口部を有するコンテナを備えた、投薬ユニットを保管し、１つずつ取り出すためのブリスターパック装置に関する。コンテナには、ブリスターパックのブリスターから投薬ユニットを押し出すための、１つずつ取り出す手段が備えられており、この取り出す手段は、コンテナに回転可能に取り付けられているレバーアームと、押し出された投薬ユニットを受け入れるためのコンテナの空洞とを備えており、レバーアームは、ブリスターパックをアームの下に配置できるようにする第１開位置と、投薬ユニットをブリスターから空洞内へ押し出すための第２下げ位置とを有している。
2005518232.tif 000002
【特許請求の範囲】
【請求項１】
ブリスターパックを受け入れるための開口部（４）を有するコンテナ（２）を備えている、ブリスターパック（１２）を保管し、そこから投薬ユニット（１５）を１つずつ取り出すためのブリスターパック装置（１）において、前記コンテナには、前記ブリスターパックのブリスター（１３）から投薬ユニットを押し出すための、１つずつ取り出す手段（６、８、９）が備えられており、前記取り出す手段は、前記コンテナに回転可能に取り付けられているレバーアーム（６）と、押し出された投薬ユニットを受け入れるための前記コンテナ内の空洞（８）とを備えており、前記レバーアームは、前記ブリスターパックを前記レバーアームの下に配置できるようにする第１開位置と、前記投薬ユニットを前記ブリスターから前記空洞内へ押し出すための第２下げ位置とを有している、ブリスターパック装置。
【請求項２】
前記１つずつ取り出す手段（６、８、９）は、前記ブリスターパック（１２）を、前記レバーアーム（６）の下で、且つ前記空洞（８）上に配置するためのガイドプレート（９）を更に備えている、請求項１に記載のブリスターパック装置。
【請求項３】
前記ガイドプレート（９）は、前記空洞（８）に隣接して前記コンテナ（２）上に配置されている、請求項２に記載のブリスターパック装置。
【請求項４】
前記ブリスターパック（１２）を受け入れるために、前記コンテナ（２）と前記ガイドプレート（９）の間には、隙間（２０）が設けられている、請求項２又は３に記載のブリスターパック装置。
【請求項５】
前記ガイドプレート（９）には、前記ブリスターパック（１２）のブリスター（１３）を位置決めするために、部分的に前記空洞（８）を取り囲むＵ字型の空所（１８）が設けられている、請求項２、３又は４に記載のブリスターパック装置。
【請求項６】
前記ガイドプレート（９）は、前記空洞（８）を部分的に取り囲み、且つブリスター（１３）を前記ガイドプレート内に固定する少なくとも１つの脚部（１６）を備えている、請求項２から５の何れかに記載のブリスターパック装置。
【請求項７】
前記レバーアーム（６）には、投薬ユニット（１５）を前記ブリスター（１３）から前記空洞（８）内に押し出すための突起部材（１０）が設けられている、請求項１から６の何れかに記載のブリスターパック装置。
【請求項８】
前記突起部材（１０）と前記レバーアームの先端（７）の間の距離（ｂ）は、前記突起部材（１０）と蝶番（５）の間の距離（ａ）より長い、請求項１から７の何れかに記載のブリスターパック装置。
【請求項９】
前記距離（ａ）と前記距離（ｂ）の間の関係ｂ／ａは、１．５から５の間の値である、請求項８に記載のブリスターパック装置。
【請求項１０】
前記レバーアーム（６）は、蝶番（５）で前記コンテナ（２）に接続されている、請求項１から９の何れかに記載のブリスターパック装置。
【請求項１１】
前記レバーアーム（６）はＬ字型であり、閉位置では、前記レバーアームの前記先端（７）が前記コンテナの前記開口部（４）を閉じるようになっている、請求項１から１０の何れかに記載のブリスターパック装置。
【請求項１２】
前記コンテナには、前記コンテナの前記開口部（４）の両側面に切り込み（３）が設けられている、上記請求項の何れかに記載のブリスターパック装置。
【請求項１３】
前記コンテナ（２）及び前記１つずつ取り出す手段（６、８、９）は、プラスチック材料で作られている、上記請求項の何れかに記載のブリスターパック装置。
【請求項１４】
前記コンテナ（２）は、或る程度透明である、上記請求項の何れかに記載のブリスターパック装置。
【請求項１５】
前記レバーアーム（６）は、少なくとも或る程度透明である、上記請求項の何れかに記載のブリスターパック装置。
【発明の詳細な説明】
【技術分野】
【０００１】
本発明は、投薬ユニット、即ち錠剤又はカプセルを保管し、保護し、ブリスターパックから１つずつ取り出すためのブリスターパック装置に関する。
【背景技術】
【０００２】
錠剤の形態、又はカプセルに封入されている粉末又は液体の形態をした薬剤用のブリスターパックは、通常、少なくとも１つのブリスター部分を含んでおり、互いに覆い合っている一式の相互接続されたフォイルで構成されている。一方の比較的硬いフォイルは、殆どの場合ベースと呼ばれ、錠剤又はカプセルを個別に収容するための空洞、いわゆる開放「ブリスター」を備えており、他方の平坦なフォイルは、殆どの場合蓋と呼ばれ、空洞又はブリスターの開口部を密閉している。
【０００３】
ブリスターパックは、輸送時に、或いはポケットやハンドバッグなどに入れて持ち回ることによって、偶然に損傷を受けることもある。特に、蓋フォイルを破るようになっている場合は、そのような損傷が度々起こる。偶発的な損傷を避けるために、ブリスターパックは、通常、輸送及び保管の間にブリスターを保護する個別の箱又はケースに詰め込まれている。
【０００４】
錠剤又はカプセルをブリスターから取り出す際には、ユーザーは、丸薬又は錠剤を、破ることのできる蓋フォイルから押し出さなければならない。ブリスターパックの中には、開けにくくするように設計されているものもあるし、幼児が丸薬を容易にブリスターパックから押し出すのを防ぐために、又は思い止まらせるために、更に開きにくくなっているものもある。これらのパックは、標準的な成人でも開くのが非常に難しくなっていることもある。加えて、標準的な成人が比較的簡単に開くことのできるブリスターパックでも、障害者や高齢者、関節炎及びその他の手の障害を持った人には開け辛いこともある。
【０００５】
ＵＳ５，７９１，５１３は、ブリスターパックからカプセルを１つずつ取り出す際に使用する丸薬取り出し装置に関する。この装置は、互いに蝶番で取り付けられている第１部材と第２部材を備えている。ブリスターパックは、前記２つの部材の間に導入され、第１部材から突き出ている押し出し器要素が、第１要素と第２要素が閉じられるときに、カプセルをブリスターから押し出す。このような装置は、ブリスターパックと共に使用するために別個に販売することができる。この種の装置の欠点は、嵩張っているため、ユーザーが持ち歩くには必ずしも適していないということである。更に、ブリスターパックを保護するわけでもない
ＵＳ５，３５６，０１０は、ブリスターパックオープナーを備えたコンテナを開示しており、コンテナは、ブリスターパックを受け入れるよう設計されていて、ブリスターパックの裏フォイルに穴を開けて、ブリスターの内容物を入手できるようにするためのブリスターパックオープナーが備えられている。ブリスターパックオープナーは、コンテナに蝶番で取り付けられており、ブリスターパックの裏フォイルに穴を開けるための歯付き部材を有している。裏フォイルに穴が開くと、ユーザーは、投薬ユニットを、穴が開いた裏フォイルから押し出して取り出すことができる。この装置の大きな欠点は、裏フォイルに穴が開けられてブリスターが開いても、ユーザーが、更に片手又は両手を使ってブリスターから内容物を押し出さなければならないことである。
【特許文献１】ＵＳ５，７９１，５１３
【特許文献２】ＵＳ５，３５６，０１０
【発明の開示】
【課題を解決するための手段】
【０００６】
本発明の目的は、既知の装置の欠点を克服又は軽減するブリスターパック装置を提供することであり、本発明は、投薬ユニットを効果的且つ的確に保管し、ブリスターパックから１つずつ取り出すためのブリスターパック装置を提供することである。この方法では、ブリスターパックは、ハンドバッグ、ポケットなどに入れて輸送する間は保護され、同時に、ユーザーは、ブリスターパックの内容物を容易に入手することができる。
【０００７】
本発明の別の目的は、特に何らかの手の障害を有するユーザーが簡単に使用できるブリスターパック装置を提供することである。
本発明の更に別の目的は、丈夫な裏フォイルを有するブリスターパック、即ち子どもに安全なブリスターパックから投薬ユニットを押し出せるほどの力を供給する、１つずつ取り出す手段を有するブリスターパック装置を提供することである。
【０００８】
本発明の更に別の目的は、片手だけで操作することのできるブリスターパック装置を提供することである。
本発明は、ブリスターパックを受け入れるための開口部を有するコンテナを備えた、投薬ユニットを保管し、１つずつ取り出すためのブリスターパック装置を提供する。コンテナには、ブリスターパックのブリスターから投薬ユニットを押し出すための、１つずつ取り出す手段が備えられており、前記取り出す手段は、コンテナに回転可能に取り付けられているレバーアームと、押し出された投薬ユニットを受け入れるためのコンテナの空洞とを備えており、レバーアームは、ブリスターパックをレバーアームの下に配置できるようにする第１開位置と、投薬ユニットをブリスターから空洞内へ押し出すための第２下げ位置とを有している。
【０００９】
１つずつ取り出す手段は、ブリスターパックを、レバーアームの下で、且つ空洞の上に配置するためのガイドプレートを更に備えているのが望ましい。
ガイドプレートは、空洞に隣接してコンテナ上に配置され、更に、ブリスターパックのブリスターを位置決めするために部分的に空洞を取り囲むＵ字型の空所が設けられているのが望ましい。
【００１０】
ブリスターパックを正しい位置に受け入れるために、コンテナとガイドプレートの間には、隙間が設けられているのが望ましい。
ガイドプレートは、空洞を部分的に取り囲み、且つブリスターをガイドプレート内に固定する少なくとも１つの脚部を備えているのが望ましい。
【００１１】
ブリスターから内容物を押し出すために、レバーアームには、突起部材が設けられているのが望ましい。
レバーアームは、蝶番によって、コンテナに接続されているのが望ましい。
【００１２】
レバーアームは、閉位置で、レバーアームの先端がコンテナの開口部を閉じるように、Ｌ字型であるのが望ましい。
突起部材とレバーアームの先端との間の距離（ｂ）は、突起部材と蝶番の間の距離（ａ）より長いのが望ましい。
【００１３】
距離ａと距離ｂの間の関係ｂ／ａは、１．５から５の間の値であるのが望ましい。
コンテナには、ブリスターパックを容易に入手できるように、開口部の両側面に切り込みが設けられているのが望ましい。
【００１４】
コンテナとレバーアームは、プラスチック材料で作られているのが望ましい。
コンテナは、少なくとも或る程度透明であるのが望ましい。
レバーアームは、少なくとも或る程度透明であるのが望ましい。
【００１５】
本発明の重要な利点は、ブリスターパックに効果的な保護を提供すると同時に、投薬ユニットを押し出すための効果的な１つずつ取り出す手段を提供することである。
本発明の更なる利点は、片手だけで操作できることである。
【００１６】
本発明の更に別の利点は、レバーアームが、手が弱いユーザーでも、子どもに安全なブリスターパックのような丈夫な裏フォイルを有するブリスターパックから投薬ユニットを押し出せるほどの力を提供することである。
【発明を実施するための最良の形態】
【００１７】
本発明の上記及びその他の特徴と利点は、請求項に定義されており、好適な実施形態を示す添付図面を参照しながら以下に更に詳細に説明する。
図１は、ブリスターパック装置１を示しており、この装置は、ブリスターパックを受け入れるための開口部４を有するコンテナ２と、ブリスターパックのブリスターから投薬ユニットを押し出すための１つずつ取り出す手段とを備えている。投薬ユニットは、例えば錠剤やカプセルである。コンテナ材には、開口部４の両側面に、コンテナからブリスターパック１２を取り出し易くするために切り込み３が設けられている。コンテナの内側には、更に、患者情報のような、ユーザーに情報を伝えるリーフレットを収容するための空間がある。或る好適な実施形態では、コンテナ２は、ポリプロピレン又はポリカーボネートのようなプラスチック材で、実質的に平坦で細長く作られている。
【００１８】
１つずつ取り出す手段を図１に示すが、これはブリスターパック装置が開位置にある状態を示している。この１つずつ取り出す手段は、レバーアーム６と、ブリスターパックを位置決めするためのガイドプレート９と、押し出された投薬ユニットを受け入れる空洞８とを備えている。レバーアームは、蝶番５でコンテナ２に取り付けられており、レバーアームが、ブリスターパックをレバーアームの下に位置決めできる開位置と、投薬ユニットをブリスターパックから空洞内へ押し出すための下げ位置との間を移動できるようになっている。空洞８は、コンテナ２の材料内のくぼみであり、空洞は、レバーアーム６の下の開口部４と蝶番の間に配置されている。
【００１９】
図２は、ブリスターパック装置１を、ブリスターパックをコンテナ２の内側に保管し、保護するための閉位置で示している。１つずつ取り出す手段の一部であるレバーアーム６は、開口部４を閉じるための閉じ部材としての機能も有している。レバーアームは、Ｌ字型をしており、レバーアームの先端７が開口部４を閉じる。レバーアームの先端７の縁部の下にある薄いリム（図示せず）は、レバーアームが開口部４を閉じるときに、コンテナの端部にスナップ嵌合する。
【００２０】
或る好適な実施形態では、コンテナ２は或る程度透明に作られており、ユーザーがブリスターパック１２と、コンテナの内側に残っている投薬の数を見ることができるようになっている。レバーアーム６も、ブリスターパックをレバーアームの下のガイドプレート９の中に容易に位置決めできるように、少なくとも或る程度透明にすることができる。
【００２１】
図３では、ブリスターパック１２が、投薬ユニットをブリスター１３から押し出すために、ガイドプレート９の下の位置に導入されている。ブリスターパックは、コンテナ２とガイドプレート９の間の隙間２０の中に導入される。隙間２０の幅は、ブリスターパックが入る寸法になっている。ガイドプレートは、更に、空洞８を部分的に取り囲むＵ字型の空所１８と、ブリスター１３を正しい位置に位置決めし固定するための空洞の両側に設けられた２つの脚部１６とを有している。１つずつ取り出す手段の詳細を、図５ａから５ｃに示す。投薬ユニット１５をブリスターから空洞内へ押し出すために、突起１０が、レバーアーム６の内側に設けられている。レバーアームを降ろすと、突起１０は、ブリスター１３の内容物を、ガイドプレートとレバーアームの下に位置する空洞８の中へ押し出す。次に、ブリスターパック１２を取り外して望ましくはコンテナ２の中に戻すと、ユーザーは、空洞から投薬ユニット１５を摘み出すか又はひっくり返して出すことができる。
【００２２】
レバーの動きは、丈夫な裏フォイルを有するブリスターパック、即ち、子どもに安全なブリスターパックから錠剤を押し出すのに十分な力を提供する。丈夫で強いフィルムは、子どもがブリスターの内容物を取り出せないようにするために用いられる。残念ながら、このフィルムが強すぎて、手の力が弱かったり手に障害がある成人のユーザーが内容物を押し出せないこともある。従って、本発明は、そのようなブリスターを開けることができるほどの力を１つずつ取り出す手段で作り出すことができる装置を開示している。レバーアームで十分な力を作り出せるようにするためには、距離ａとｂの関係ｂ／ａは、１．５から５がよい。距離ａとｂを図４に示すが、ａは、突起部材１０と蝶番５の間の距離であり、ｂは、突起部材１０とレバーアームの先端７の間の距離である。ブリスターから内容物を１つずつ取り出す際にレバーアームを使用することによって、ユーザーは、自分の指を使ってブリスターから内容物を押し出さなければならない場合よりも、手の力が少なくて済む。この様に、手の力が弱い人でも、ブリスターパックから内容物を１つずつ取り出すことができる。
【００２３】
レバーアームは、既に押し出されている投薬ユニット、即ち、錠剤を分割するのに用いることもできる。図５ｃでは、細長い錠剤１５が、空洞の縁部に配置されており、レバーアームの突起１０で分割される。更に、空洞８は、既に押し出されている投薬ユニット又は錠剤の半分を後で使用するために保管するのに用いることもできる。
【００２４】
更に、本発明は、記載した実施形態に限定されるものではなく、特許請求の範囲に述べる事項から逸脱することなく、多くの異なるやり方で修正を加えることができるものと理解されたい。
【図面の簡単な説明】
【００２５】
【図１】開位置にあるブリスターパック装置の斜視図である。
【図２】閉位置にあるブリスターパック装置の斜視図である。
【図３】ブリスターパックが、そこから投薬ユニットを１つずつ取り出すために位置決めされている様子を示す、ブリスターパック装置の斜視図である。
【図４】図１によるブリスターパック装置の断面図である。
【図５】図５ａ−５ｃは、図１のブリスターパック装置の、１つずつ取り出す手段を拡大して示している。
【図１】
2005518232.tif 000003
【図２】
2005518232.tif 000004
【図３】
2005518232.tif 000005
【図４】
2005518232.tif 000006
【図５ａ】
2005518232.tif 000007
【図５ｂ】
2005518232.tif 000008
【図５ｃ】
2005518232.tif 000009
【国際調査報告】
2005518232.tif 000010
2005518232.tif 000011
2005518232.tif 000012